(57)【要約】  高温の液体で満たすことが可能な熱可塑性樹脂の容器（１）であって、ボディの軸線（４）に平行な複数の凹所付きパネル（３）を有するボディ（２）を含み、これらのパネル（３）はいくつかの高さ（Ａ、B、…）に配置され、２つの連続する高さ（Ａ、Ｂ）のパネル（３）が梁と表面がほぼ連続するカラー（６）によって分離され、各梁は、縦方向の中央溝部分を形成するように凹んでおり、連続する高さの梁（５）の溝部分（７）は、一方の高さの梁（５）から、隣り合う高さの連続する梁（５）へと、カラー（６）へ延びる大きく傾いた溝部分（８）によって周方向にずれて互いに接続されており、溝部分（７、８）は平行な連続した段として構成され、ボディの外周上に分布する溝を形成している。
2008532867.tif 000002
【特許請求の範囲】
【請求項１】
ＰＥＴのような熱可塑性樹脂で作られ、高温の液体で満たすことが可能な容器（１）、特に瓶であって、ボディの軸線（４）にほぼ平行に延び、かつ前記ボディの周りにほぼ等距離に分布した、複数の凹所付きパネル（３）を有するボディ（２）を含み、これらのパネル（３）が、前記ボディの軸線（４）にほぼ平行に延びる梁（５）を形成する、ボディの複数の部分によって分離されている容器（１）において、
前記パネル（３）が前記ボディ（２）の周りにいくつかの高さ（Ａ、B、…）に配置され、
２つの連続する高さ（Ａ、Ｂ）のパネル（３）が、前記梁（５）と表面がほぼ連続するカラー（６）を形成する、前記ボディの環状部分によって分離され、
各梁（５）は、縦方向の中央溝部分（７）を形成するように凹んでおり、ほぼ平行な連続した段として構成され、かつ前記ボディ（２）の外周にわたって分布する溝を、一緒に接続されて形成する溝部分（７、８）を前記ボディ（２）が備えるように、前記カラー（６）内を延び、全てがほぼ互いに平行に同じ方向に傾いた、大きく傾いた溝部分（８）によって、連続する高さ（Ａ、Ｂ、・・・）の前記梁（５）の前記溝部分（７）が、一方の高さ（Ａ）の梁（５）から、隣り合う高さ（Ｂ）の連続する梁（５）へと周方向にずれて互いに接続されており、
これによって、前記の複数のカラー（６）によって構成された、前記ボディ（２）の前記環状部分が、前記液体が冷却する際に前記液体の体積が小さくなることによって生ずる真空による、押しつぶす力に対して機械的に補強される
ことを特徴とする容器。
【請求項２】
２つの連続する高さ（Ａ、Ｂ）のパネル（３）が、一方の高さ（Ａ）のパネル（３）が、隣り合う高さ（Ｂ）の梁（５）に少なくとも一部が向き合って位置するように周方向にずれて（ｅ）おり、これら２つの高さ（Ａ、Ｂ）の間に位置する、前記カラー（６）の溝部分（８）が、前記２つの高さのパネルの前記周方向のずれ（ｅ）の方向に傾き、それによって前記カラー（６）の前記の傾いた溝部分（８）が前記ボディ（２）の周方向に長くなった長さを有することを特徴とする、請求項１に記載の容器。
【請求項３】
前記パネル（３）が２つの高さ（Ａ、Ｂ）にわたって分布し、前記カラー（６）が唯一のカラーであることを特徴とする、請求項１または２に記載の容器。
【請求項４】
各高さ（Ａ、B）で、前記パネル（３）が同じ数の梁（５）と交互していることを特徴とする、請求項１から３のいずれか１項に記載の容器。
【請求項５】
前記カラー（６）の傾いた溝部分（８）が前記ボディの軸線に対して、４０°と９０°の範囲の傾きを有していることを特徴とする、請求項３または４に記載の容器。
【請求項６】
前記カラー（６）傾いた溝部分（８）が前記ボディの軸線に対して約７０°の傾きを有していることを特徴とする、請求項５に記載の装置。
【発明の詳細な説明】
【技術分野】
【０００１】
本発明は概して、高温の液体で満たされるようになっている熱可塑性樹脂製容器の分野に関し、特に、ＰＥＴのような熱可塑性樹脂で作られ、高温の液体で満たすことが可能な容器、特に瓶であって、ボディの軸線にほぼ平行に延び、かつボディの周りにほぼ等距離に分布した、複数の凹所付きパネルを有するボディを含み、これらのパネルが、ほぼ垂直に延びる梁を形成する、ボディの複数の部分によって分離されている容器の改良に関する
【背景技術】
【０００２】
本発明の文脈では、用語「高温の」は、容器内に注がれるときに、少なくとも６０℃、特に、限定されるものではないが、最大が少なくとも８５℃、場合によると９０−９５°の範囲内にある温度を有する液体を指すことを意図している。
【０００３】
高温の液体は、それが冷たいときに占める体積よりもかなり大きい体積を有することが思い起こされるであろう。したがって、容器が高温の液体で満たされ、それから密封して閉じられると、液体の体積は、液体が冷えていくにつれて減少する。容器を閉じることによってもたらされる密封のために、液体の体積の減少は、同じ体積の空気を入れることによって補償することはできない。さらに、比較できる現象が、容器内の空気について起こり、該空気は、容器が閉じられるのに続いて、液体との接触で温度が上がり、その後温度が下がり、その結果、最後にはその圧力が下がる。したがって、容器は真空下にあり、その壁、特にそのボディの壁が内向きにへこむことで変形する。一例として、１．５リッターの容器では、体積の減少は約５から６ｃｌになることがあり、これは容器を著しく変形させるのに十分である。さらに、容易に理解されるように、液体の体積の減少度、したがって容器の、付随して起こる変形の程度は、液体の、注ぎ込み中の温度が高ければ高い程大きくなる。
【０００４】
特に適していない容器においては、変形するのは最も弱い壁または壁部品であり、これらの変形は制御できず、このことは、これらの状況で変形した容器は、見た目が悪いばかりでなく、その底部が湾曲していると使用できなくなる。
【０００５】
さらに、通常の自然物理現象が関わっているとすると、可能である限り、壁をかなり厚くすることによってのみいくらか達成できる、変形しない容器を製造しようと試みることは考えられない。このことは、材料を多く消費することになり、したがって非常に大量に製造する工業的製造方法では受け入れることができない過大なコストにつながる。さらに、このようにして製造され、これらの条件下で充填された容器は真空状態になり、特に衝撃を受けた場合に容器が破裂するおそれ、および/または容器を開けたときに液体が飛び散るおそれがある。
【０００６】
したがって、特に、高温の液体で満たされるように構成され、容器の残り、特にその底部の形状に悪影響を及ぼすことなく変形することができるように設計された部品を備えた容器を製造することが知られている。容器の全体形状を保ち、特に安定状態を維持する、制御された変形を有する容器がこのようにして形成される。これらの変形可能な部品は一般に、容器のボディ上に設けられた、凹部の付いたパネルの形をとり、これらのパネルはボディの周辺に渡って分散し、かつ変形しない梁を形成する、ボディの部分によって互いに分離されている。これらのパネルは形状がほぼ矩形か、およそ矩形の場合が多く、ことによると、補強用の突出部を備え、そして容器の軸心に平行に延びている。
【０００７】
そのような容器は中央領域の変形度が比較的高く、販売のために受け入れられない場合がある。
【０００８】
さらに、そのようなパネルタイプの容器は美的に問題のある外観を有している。
【発明の開示】
【発明が解決しようとする課題】
【０００９】
本発明の目的は基本的には、現在の容器の欠点をできるだけ克服し、その上、美的に満足のいく外観を有する、容量の小さな容器および容量の大きい容器の両方を設計するのを可能にする、高温の液体を充填可能な容器のための改良された構造を提供することである。
【課題を解決するための手段】
【００１０】
これらの目的のために、本発明は、前提項に記載され、本発明にしたがって構成され、
パネルがボディの周りにいくつかの高さに配置され、
２つの連続する高さのパネルが、梁と表面がほぼ連続するカラーを形成する、ボディの環状部分によって分離され、
各梁は、縦方向の中央溝部分を形成するように凹んでおり、ほぼ平行な連続した段として構成され、かつボディの外周にわたって分布する溝を、一緒に接続されて形成する溝部分をボディが備えるように、カラー内を延び、全てがほぼ互いに平行に同じ方向に傾いた、大きく傾いた溝部分によって、連続する高さの梁の溝部分が、一方の高さの梁から、隣り合う高さの連続する梁へと周方向にずれて互いに接続されている
ことを特徴とする容器を提供する。
【００１１】
上記で述べた方策によって、前記カラーによって構成されたボディの環状の部品は、これらの部品内に位置する溝部分の傾きのために、液体が冷える際に液体の体積が減ることによって生ずる真空による押しつぶし力に対して機械的に補強される。
【００１２】
このようにして与えられた力は、これの溝部分が水平に対して近ければ近いほど増大する。したがって、これらの溝部分に対して比較的うつ伏せになった位置を取ることができるために、好適の実施態様では、２つの連続する高さのパネルが、一方の高さのパネルが、隣り合う高さの梁に少なくとも一部が向き合って位置するように周方向にずれており、これら２つの高さの間に位置する、カラーの溝部分が、前記２つの高さのパネルの周方向のずれの方向に傾き、それによってカラーの傾いた溝部分がボディの周方向に長くなった長さを有し、カラーはより大きな強度を有している。
【００１３】
好適な実施態様において、パネルが２つの高さにわたって分布し、カラーが唯一のカラーである。
【００１４】
さらに、各高さで、パネルが同じ数の梁と交互している方策をなすことができる。
【００１５】
特に、これらの最後の２つの方策が同じ容器において組み合わせられた場合、カラーの傾いた溝部分がボディの軸線に対して、４０°と９０°の範囲の傾き、好ましくは約７０°の傾きを有しているのが望ましい。
【発明を実施するための最良の形態】
【００１６】
専ら非限定的な例によって与えられる以下の特定の好ましい実施形態の詳細な記載を読むことによって本発明がより良く理解されるであろう。
【００１７】
まず、図１を参照すると、図１は、高温の液体を満たすことが可能な、ＰＥＴのような熱可塑性樹脂で作られた容器１のボディ２の一部を、平らに広げられた状態を示している。この容器１のボディ２はボディ２の軸心４にほぼ平行に延び、ボディの周りにほぼ等間隔に分散した、凹部の付いた複数のパネル３を有しており、これらのパネル３は、軸心４にほぼ平行に延びる梁５を形成する、ボディの介在部分によって分離されている。
【００１８】
本発明にしたがって、次に述べる方策、すなわち
-パネル３はボディ２の周りに幾つかの高さＡ、Ｂ、・・・で配置されている、
-２つの連続した高さＡ、Ｂのパネルが、上記の梁５と面がほぼ連続したカラー６を形成  する、ボディの環状部分によって分離されている、
-各梁５には長さ方向の中央の溝部分７を形成するように凹部が形成され、ボディ２が、  ちょうど頂部から底部へと、互いに接続された溝部分７、８を備えるように、上記のカ  ラー６へ延び、互いにほぼ平行にすべて同じ方向に傾いた、大きく傾いた溝部分８によ  って、１つの高さ（図１に示された構成では例えばＡ）の梁から、（図示の例では高さ  Ａの下に位置する）隣接する高さＢの連続した梁へと、連続した高さＡ、Ｂ、・・・の  溝部分７は、周方向にずれて互いに接続されている。このようにして、いくつかの数の  、接続された部分が、連続した段として構成された溝を形成し、上記の複数の溝はボデ  ィ２の周りに分散して位置している、
の組み合わせが与えられる。
【００１９】
カラー６内に傾いた溝部分８が存在することによって、これらのカラーが周方向にかなり補強され、これは、溝が、連続した高さの、整列した梁に続いてボディの頂部から底部へ連続して延びていたならば得られない結果である。したがって、ボディがこのように装備された容器は、面積が比較的小さいパネル３が存在するため、制御によって、半径方向に変形することができ、同時にボディの中間領域にあるカラー６が補強され、したがってこれらのカラーは、容器の肩部と底部とともにボディ２の全体形状を維持するのを助ける。
【００２０】
図１に示す簡単な構成では、種々の高さA、B、・・・のパネル３がボディ２の軸線４に平行に縦に並んでいる。図１に構成では、下方向に右から左へ傾いている溝部分８が上側の列Aを、その下に位置する列Bの先行する順位の溝部分７に接続している。例えば、順位iのパネルと順位i＋１のパネルの間に位置している、列Aの溝部分７は、順位ｉ−１のパネルと順位ｉのパネルの間に位置する、下の列Bの溝部分７に、傾いた溝部分８によって接続されている、等。
【００２１】
そのような構成は、制御された変形性に関する実際の要件を満たし、さらに、パネル同士の間を曲がって進む（各溝上に幾つかの部分７、８が存在することによる）、連続した複数の段としての溝の形状は、同じタイプの従来の容器が有しない、心地よい美的効果をもたらす。
【００２２】
しかし、図１に示す構成では、傾いた溝部分８が、パネルの幅、そして概ね柱の幅に相当する、周方向の延びを有していることがわかるであろう。したがって、これらの溝部分８の周方向の延びは比較的、大きくはない。さらに、２つの連続した溝部分８の間に含まれる、各カラー６の（図１のハッチングによって示される）曲線の多角形領域９は比較的大きく、このことは、これら領域が、変形力がかなり大きくなると、望まない変形を受けるおそれがあることを意味している。
【００２３】
例えば約９０−９５℃の、高温の液体で充填されるようになっている容器に、特に関して、この欠点を克服するために、先に述べた構成の好適な変形実施形態を実施する方策がなされている。図２に示すように、２つの連続した高さＡ、Bに属するパネル３は、一方のパネル３が、隣の高さの梁５に少なくとも部分的に向き合って位置し、また、これらの高さＡとB間に位置するカラー６の溝部分がこれら２つの高さのパネル３の角度ずれｅの方向に傾くように角度eだけ互いに周方向にずれている。
【００２４】
より正確には、上記した溝の形状は保持され、すなわち、例えば、パネルi−１とパネルｉの間で列A内に位置する溝部分７は、パネルiとパネルｉ＋１の間で下の列B内に位置する溝部分７に、傾いた溝部分８によって接続され、その結果、パネルi−１とパネルｉの間で列A内に位置する梁５と、パネルiとパネルｉ＋１の間で下の列B内に位置する梁５の間の距離はここでは、パネルが軸線４に平行に一列に並んでいる、図１に示す実施形態におけるよりもここでは大きくなっている。
【００２５】
図２に示す構成は、図１に示す構成に勝る注目すべき幾つかの利点を有している。
【００２６】
まず、２つの連続した列Ａ、Bに属する、同じ順位のそれぞれのパネル間に生成された分離部分のために、カラー６の傾いた溝部分８は、ボディの周方向に、長くなった長さを有している。
【００２７】
さらに、そして特に、４つの隣接するパネル間に含まれるカラー６の曲線状の各多角形領域（例えば、列Ａ内の順位iと順位i＋１のパネル間の、わかりやすくするために図２でハッチングされている領域１０）に、図１に示す構成におけるよりもかなり小さい距離ｄだけ隔てられている２つの傾いた溝部分８が交差している。このことは、溝部分８が以前よりも大きく傾き、そしてさらに、これら2つの溝部分８の一部がずれeに相当する距離に渡って互いに上になって延びていることを意味している。
【００２８】
溝部分８同士の間のより密な間隔と共に、溝部分８の長くなった長さと増大した傾きの組み合わせは、各カラー６が、その強度を増す、波形の構造を有することを意味している。したがって、カラー６は、非常に熱い間に注がれた液体が冷える間に受ける変形力に抵抗する点で強度が増している。これらの同じカラーは、容器をつかむときのユーザの手によって加えられた把持力に良好に抵抗することができることもわかるであろう。
【００２９】
図３は、図２に関して上記で説明した構成を備えたびんの形態の容器１を一例によって示している。この例では、パネル３は２つの高さＡとBで分布しており、前記カラー６はしたがってたった１つである。図３の線V-Vにおける断面、すなわち、図３に示された容器１の、カラー６を通る横断面である図５の図示は、カラー６の波形の構造を明確に示している。
【００３０】
さらに、パネルと梁の数は高さによって変わるが、最も簡単な解決策は、すべての高さにおいてパネルの数と梁の数が同じであることにある。さらに、再び簡単のために、図３に示されている例では４つある、パネル３が各高さで同数の梁５と交互する方策もなされている。図示の例では、各パネル３は、軸線４にほぼ平行に長く延びた中央補強リブ１１を備えている。
【００３１】
ボディ内に機械的に補強された環状の領域を形成することになる、本発明による手段の実現は、現在製造されているパネルタイプの容器（容量が比較的小さい容器、「ずんぐりした」ボディ形状の容器）と異なる容器を製造することを可能にする。したがって、図３に示す容器１は、９０−９５℃の、非常に高温の液体で満たすことができるために要求される能力を有しながら比較的細いボディの形状を有している。
【００３２】
これらの条件下で、カラー６の傾いた溝部分８は、ボディ２の軸線に対して、図示の例では、４０°と９０°の間、通常約７０°の傾きを有している。
【００３３】
図３のびんを上面、底面でそれぞれ示す図4A、図4Bに描かれている図は、上側の列Ａの溝部分７（図４Ａ）と下側の列Ｂの溝部分７の間の周方向のずれを明らかにしている。
【００３４】
実際には、各高さにおけるパネルの数は、期待された結果を得るためには最低３つでなければならず、最も一般的な場合、またはさらには容器のボディの横方向のサイズおよび形状に応じて６から８である思われる。
【図面の簡単な説明】
【００３５】
【図１】本発明によって構成された容器のボディの一部の、平らに伸ばした図である。
【図２】本発明の好ましい実施形態によって構成された容器のボディの一部の、平らに伸ばした図である。
【図３】図２に示された構成を含む容器の全体の側面図である。
【図４Ａ】図３に示された容器の頂部を示す図である。
【図４Ｂ】図３に示された容器の底部を示す図である。
【図５】図３のＶ−Ｖ線で切った横断面図である。
【図１】
2008532867.tif 000003
【図２】
2008532867.tif 000004
【図３】
2008532867.tif 000005
【図４Ａ】
2008532867.tif 000006
【図４Ｂ】
2008532867.tif 000007
【図５】
2008532867.tif 000008
【国際調査報告】
2008532867.tif 000009
2008532867.tif 000010
2008532867.tif 000011
2008532867.tif 000012